(57)【要約】【課題】鋼製部材からなるベアリング(９)を介して回転部材を支持するアルミ製クランクケース(１)の軸受部構造において、立体的な寸法増加を利用して、一層効果的な隙間の拡大を防ぐ方法を提供するものである。【解決手段】前記クランクケース(１)と前記ベアリング外輪(９Ａ)との間に近似台形形状の複数の駒部材(12)が前記ベアリングに対して同心円状に設けられ、該駒部材の外周面(12ａ)、端面(12ｂ)、及び側面(12ｃ)は前記クランクケースの軸受部(10)に埋設され、該駒部材の内周面(12ｄ)は前記ベアリング外輪(９Ａ)の外周面に対向し、該駒部材の端面(12ｂ)同士の間隔、及び側面(12ｃ)同士の間隔は前記ベアリング外輪(９Ａ)の外周面に向かって開いており、該駒部材(12)の線膨張係数は前記クランクケース(１)の線膨張係数より大きいことを特徴とするクランクケースの軸受部構造である。【選択図】          図２
2014025547.tif 000002
【特許請求の範囲】
【請求項１】
鋼製部材からなるベアリング(９)を介して回転部材を支持するアルミ製クランクケース(１)の軸受部構造において、
近似台形形状の亜鉛製駒部材が前記軸受部に設けられ、
該亜鉛製駒部材は近似台形形状の上下面方向が軸受係合部の略中心方向を向く様にして前記軸受部に複数埋設され、
該駒部材はそれを埋設している周囲部材より線膨張係数が大きいことを特徴とするクランクケースの軸受部構造。
【請求項２】
前記クランクケース(１)の軸受部(10)の円孔(11)にベアリング(９)が装着され、
前記駒部材(12)は前記クランクケース(１)と前記ベアリング(９)の外輪(９Ａ)との間に複数個設けられ、
該駒部材(12)の外周面(12ａ)、端面(12ｂ)、及び側面(12ｃ)は前記アルミ製クランクケース(１)のポケット(14)に埋設され、
該駒部材(12)の内周面(12ｄ)は前記ベアリング外輪(９Ａ)の外周面に対向し、
該駒部材(12)の端面(12ｂ)同士の間隔、及び側面(12ｃ)同士の間隔は前記ベアリング外輪(９Ａ)の外周面に向かって開いており、
該駒部材(12)の線膨張係数は前記クランクケース(１)の線膨張係数より大きいことを特徴とする請求項１に記載のクランクケースの軸受部構造。
【請求項３】
前記クランクケース(１)の軸受部(20)の円孔(21)に鋳鉄製ブッシュ(23)が設けられ、
前記駒部材(22)は前記クランクケース(１)と前記ブッシュ(23)との間に複数個設けられ、
該駒部材(22)の外周面(22ａ)、端面(22ｂ)、及び側面(22ｃ)は前記アルミ製クランクケース(１)のポケット(24)に埋設され、
該駒部材(22)の内周面(22ｄ)は前記ブッシュ(23)の外周面(23ａ)に隣接し、
該駒部材(22)の端面(22ｂ)同士の間隔、及び側面(22ｃ)同士の間隔は前記ブッシュ(23)の外周面(23ａ)に向かって開いており、
該駒部材(22)の線膨張係数は前記クランクケース(１)の線膨張係数より大きいことを特徴とする請求項１に記載のクランクケースの軸受部構造。
【請求項４】
前記クランクケース(１)の軸受部(30)の円孔(31)に鋳鉄製ブッシュ(33)が設けられ、
前記駒部材(32)は前記クランクケース(１)と前記ブッシュ(33)との間に複数個設けられ、
該駒部材(32)の端面(32ｂ)、側面(32ｃ)、及び内周面(32ｄ)が前記ブッシュ(33)の外周ポケット(34)に埋設され、
該駒部材(32)の外周面(32ａ)は前記クランクケース(１)の円孔(31)の内周面に隣接し、
該駒部材(32)の端面(32ｂ)同士の間隔、及び側面(32ｃ)同士の間隔は前記円孔(31)の内周面に向かって開いており、
該駒部材(32)の線膨張係数は前記ブッシュ(33)の線膨張係数より大きいことを特徴とする請求項１に記載のクランクケースの軸受部構造。
【請求項５】
前記クランクケース(１)の軸受部(40)の円孔(41)に鋳鉄製ブッシュ(43)が設けられ、
前記駒部材(42)は前記クランクケース(１)と前記ブッシュ(43)との間に複数個設けられ、
該駒部材(42)の端面(42ｂ)、側面(42ｃ)、及び内周面(42ｄ)が前記ブッシュ(43)の外周ポケット(44)に埋設され、
該駒部材(42)の外周面(42ａ)は前記クランクケース(１)の円孔(41)の内周面に隣接し、
該駒部材(42)の底角部(42ｅ)はブッシュ(43)の外周ポケット(44)の鋭角凹部(44ｚ)によって保持され、
該駒部材(42)の側面(42ｃ)同士の間隔は前記円孔(41)の内周面に向かって開いており、
該駒部材(42)の線膨張係数は前記ブッシュ(43)の線膨張係数より大きいことを特徴とする請求項１に記載のクランクケースの軸受部構造。
【請求項６】
前記駒部材(52)は、軸受中心を挟んで一方の駒部材(52Ｈ)が他方の駒部材(52Ｌ)より高さが高く形成されていることを特徴とする請求項２に記載のクランクケースの軸受部構造。
【請求項７】
軸受中心の一方の側に１個の駒部材(52)が形成されていることを特徴とする請求項２に記載のクランクケースの軸受部構造。
【請求項８】
軸受中心の一方の側に１個の駒部材(52)が形成されると共に、その内側にブッシュ(53)が設けられていることを特徴とする請求項７に記載のクランクケースの軸受部構造。
【請求項９】
駒部材にブッシュの回り止め兼駒部材の抜け止め突起(35,45)を設けたことを特徴とする請求項４又は請求項５に記載のクランクケースの軸受部構造。
【請求項１０】
駒部材にブッシュの回り止めリブ(36,46)を設け、ブッシュに駒部材の抜け止めリブ(37,47)を設けたことを特徴とする請求項４又は請求項５に記載のクランクケースの軸受部構造。
【発明の詳細な説明】
【技術分野】
【０００１】
本発明は、鋼製部材からなるベアリングを介して回転部材を支持するアルミ製クランクケースの軸受部構造に関するものである。
【背景技術】
【０００２】
内燃機関運転中の温度上昇によって、クランク軸のジャーナルとクランクケースの軸受部との間に隙間が生じると、クランク軸による打音が生じやすくなる。このため、隙間の発生を防止するため、アルミ製のクランクケースの軸受部に、アルミより線膨張係数の大きい亜鉛を鋳込み、亜鉛の膨張によって軸受部の膨張を抑制し、ジャーナル外周部の隙間の発生を防ぐことが行われていた（例えば、特許文献１参照。）。
【０００３】
また、ベアリングを介してクランク軸を保持する場合は、アルミ製クランクケースの軸受部に鋳鉄製ブシュを一体に鋳込んで形成し、更にベアリングにおいては、ベアリングの外輪を、鋼鉄製内側リングと、これに一体に鋳込まれたアルミ製外側リングとによって形成し、クランクケース軸受部における鋳鉄とアルミの合体部の線膨張係数と、ベアリング外輪における鋼鉄とアルミの合体部の線膨張係数を略等しくして、温度上昇時のベアリング外輪外周部の隙間の拡大を防ぐことが行われていた（例えば、特許文献２参照。）。
【０００４】
前記の第１の例は亜鉛自体の、第２の例はベアリング外輪の外側リングのアルミと鋼鉄の、熱膨張による一方向の寸法の増加によってジャーナル外周部あるいはベアリング外輪外周部の隙間の拡大を防ぐものである。
【先行技術文献】
【特許文献】
【０００５】
【特許文献１】特開２００２−３４９３４２号公報
【特許文献２】特開２００８−１８０２３７号公報
【発明の概要】
【発明が解決しようとする課題】
【０００６】
従来の隙間の拡大を防ぐ方法は、熱膨張による半径方向の寸法の増加を利用したものである。熱膨張は全方向に寸法の増加をもたらす。本発明は特に立体的な寸法増加を利用して、一層効果的な隙間の拡大を防ぐ方法を提供するものである。
【課題を解決するための手段】
【０００７】
本発明は上記課題を解決したものであって、請求項１に記載の発明は、
鋼製部材からなるベアリング(９)を介して回転部材を支持するアルミ製クランクケース(１)の軸受部構造において、
近似台形形状の亜鉛製駒部材が前記軸受部に設けられ、
該亜鉛製駒部材は近似台形形状の上下面方向が軸受係合部の略中心方向を向く様にして前記軸受部に複数埋設され、
該駒部材はそれを埋設している周囲部材より線膨張係数が大きいことを特徴とするクランクケースの軸受部構造に関するものである。
【０００８】
請求項２に記載の発明は、請求項１に記載のクランクケースの軸受部構造において、
前記クランクケース(１)の軸受部(10)の円孔(11)にベアリング(９)が装着され、
前記駒部材(12)は前記クランクケース(１)と前記ベアリングの外輪(９Ａ)との間に複数個設けられ、
該駒部材(12)の外周面(12ａ)、端面(12ｂ)、及び側面(12ｃ)は前記アルミ製クランクケース(１)のポケット(14)に埋設され、
該駒部材(12)の内周面(12ｄ)は前記ベアリング外輪(９Ａ)の外周面に対向し、
該駒部材(12)の端面(12ｂ)同士の間隔、及び側面(12ｃ)同士の間隔は前記ベアリング外輪(９Ａ)の外周面に向かって開いており、
該駒部材(12)の線膨張係数は前記クランクケース(１)の線膨張係数より大きいことを特徴とするものである。
【０００９】
請求項３に記載の発明は、請求項１に記載のクランクケースの軸受部構造において、
前記クランクケース(１)の軸受部(20)の円孔(21)に鋳鉄製ブッシュ(23)が設けられ、
前記駒部材(22)は前記クランクケース(１)と前記ブッシュ(23)との間に複数個設けられ、
該駒部材(22)の外周面(22ａ)、端面(22ｂ)、及び側面(22ｃ)は前記アルミ製クランクケース(１)のポケット(24)に埋設され、
該駒部材(22)の内周面(22ｄ)は前記ブッシュ(23)の外周面に隣接し、
該駒部材(22)の端面(22ｂ)同士の間隔、及び側面(22ｃ)同士の間隔は前記ブッシュ(23)の外周面に向かって開いており、
該駒部材(22)の線膨張係数は前記クランクケース(１)の線膨張係数より大きいことを特徴とするものである。
【００１０】
請求項４に記載の発明は、請求項１に記載のクランクケースの軸受部構造において、
前記クランクケース(１)の軸受部(30)の円孔(31)に鋳鉄製ブッシュ(33)が設けられ、
前記駒部材(32)は前記クランクケース(１)と前記ブッシュ(33)との間に複数個設けられ、
該駒部材(32)の端面(32ｂ)、側面(32ｃ)、及び内周面(32ｄ)が前記ブッシュ(33)の外周ポケット(34)に埋設され、
該駒部材(32)の外周面(32ａ)は前記クランクケース(１)の円孔(31)の内周面に隣接し、
該駒部材(32)の端面(32ｂ)同士の間隔、及び側面(32ｃ)同士の間隔は前記円孔(31)の内周面に向かって開いており、
該駒部材(32)の線膨張係数は前記ブッシュ(33)の線膨張係数より大きいことを特徴とするものである。
【００１１】
請求項５に記載の発明は、請求項１に記載のクランクケースの軸受部構造において、
前記クランクケース(１)の軸受部(40)の円孔(41)に鋳鉄製ブッシュ(43)が設けられ、
前記駒部材(42)は前記クランクケース(１)と前記ブッシュ(43)との間に複数個設けられ、
該駒部材(42)の端面(42ｂ)、側面(42ｃ)、及び内周面(42ｄ)が前記ブッシュ(43)の外周ポケット(44)に埋設され、
該駒部材(42)の外周面(42ａ)は前記クランクケース(１)の円孔(41)の内周面に隣接し、
該駒部材(42)の底角部(42ｅ)はブッシュ(43)の外周ポケット(44)の鋭角凹部(44ｚ)によって保持され、
該駒部材(42)の側面(42ｃ)同士の間隔は前記円孔(41)の内周面に向かって開いており、
該駒部材(42)の線膨張係数は前記ブッシュ(43)の線膨張係数より大きいことを特徴とするものである。
【００１２】
請求項６に記載の発明は、請求項２に記載のクランクケースの軸受部構造において、
前記駒部材(52)は、軸受中心を挟んで一方の駒部材(52Ｈ)が他方の駒部材(52Ｌ)より高さが高く形成されていることを特徴とするものである。
【００１３】
請求項７に記載の発明は、請求項２に記載のクランクケースの軸受部構造において、
軸受中心の一方の側に１個の駒部材(52)が形成されていることを特徴とするものである。
【００１４】
請求項８に記載の発明は、請求項７に記載のクランクケースの軸受部構造において、
軸受中心の一方の側に１個の駒部材(52)が形成されると共に、その内側にブッシュ(53)が設けられていることを特徴とするものである。
【００１５】
請求項９に記載の発明は、請求項４又は請求項５に記載のクランクケースの軸受部構造において、
駒部材にブッシュの回り止め兼駒部材の抜け止め突起(35,45)を設けたことを特徴とするものである。
【００１６】
請求項１０に記載の発明は、請求項４又は請求項５に記載のクランクケースの軸受部構造において、
駒部材にブッシュの回り止めリブ(36,46)を設け、ブッシュに駒部材の抜け止めリブ(37,47)を設けたことを特徴とするものである。
【発明の効果】
【００１７】
請求項１の発明において、
前記クランクケース(１)内の温度上昇時に、前記駒部材は熱膨張により別体の隣接部材の方に迫り出して、同隣接部材との間のガタの発生が抑えられ、騒音防止を図ることができる。
【００１８】
請求項２の発明において、
前記駒部材(12)は、クランクケース(１)との熱膨張差に基づき、その外周面(12ａ)、端面(12ｂ)、及び側面(12ｃ)に掛かる膨張力によって、クランクケースの内周面から迫り出してベアリングの外輪(９Ａ)を押し、クランクケースの軸受部(10)とベアリング外輪(９Ａ)との間のガタの発生が抑えられ、騒音防止を図ることが出来る。
【００１９】
請求項３の発明において、
前記駒部材(22)は、クランクケース(１)との熱膨張差に基づき、その外周面(22ａ)、端面(22ｂ)、及び側面(22ｃ)に掛かる膨張力によって、クランクケースの内周面から迫り出してブッシュ(23)を押し、アルミ製クランクケースと鋳鉄製ブッシュとの間のガタの発生が抑えられ、騒音防止を図ることが出来る。
【００２０】
請求項４の発明において、
前記駒部材(32)は、ブッシュ(33)との熱膨張差に基づき、その端面(32ｂ)、側面(32ｃ)、及び内周面(32ｄ)に掛かる膨張力によって、ブッシュ(33)の外周面から迫り出し、アルミ製クランクケースと鋳鉄製ブッシュとの間のガタの発生が抑えられ、騒音防止を図ることが出来る。
【００２１】
請求項５の発明において、
前記駒部材(42)は、ブッシュ(43)との熱膨張差に基づき、その膨張力によって、駒部材(42)の中央部はブッシュ(43)の外周面から外方へ迫り出し、アルミ製クランクケースと鋳鉄製ブッシュとの間のガタの発生が抑えられ、騒音防止を図ることが出来る。
【００２２】
請求項６の発明において、
駒部材(52Ｈ、52Ｌ)の迫り出し量の差によって、回転軸(３)の中心位置を微小変位させることが出来るので、クランクケース(１)の熱膨張による軸間距離の拡大の影響を低減でき、バックラッシュの増加を抑えて噛合い騒音の低減を図ることが出来る。
【００２３】
請求項７の発明において、
駒部材(52)が迫り出し、回転軸(３)の中心位置を微小変位させることが出来るので、クランクケース(１)の熱膨張による軸間距離の拡大の影響を低減でき、バックラッシュの増加を抑えて噛合い騒音の低減を図ることが出来る。
【００２４】
請求項８の発明において、
駒部材(52)が迫り出し、ブッシュ(53)を介して回転軸(３)を押し、回転軸(３)の中心位置を微小変位させることが出来るので、クランクケース(１)の熱膨張による軸間距離の拡大の影響を低減でき、バックラッシュの増加を抑えて噛合い騒音の低減を図ることが出来る。
【００２５】
請求項９の発明において、
ブッシュ(33,43)のクランク軸周りの回転と、駒部材(32,42)の抜け落ちが防がれる。
【００２６】
請求項１０の発明において、
ブッシュ(33,43)のクランク軸周りの回転と、駒部材(32,42)の抜け落ちが防がれる。
【図面の簡単な説明】
【００２７】
【図１】本発明の実施形態に係るクランク軸の支持構造が適用されるクランクケース周囲部の断面図である。
【図２】本発明の第１実施形態に係るクランク軸の軸受部の断面図である
【図３】連結用リブを介して連結された複数の駒部材の外観図である。
【図４】脱落防止用リブを備えた駒部材の外観図である。
【図５】本発明の第２実施形態に係るクランク軸の軸受部の断面図である。
【図６】本発明の第３Ａ実施形態に係るクランク軸の軸受部の断面図である。
【図７】本発明の第３Ｂ実施形態に係るクランク軸の軸受部の断面図である。
【図８】本発明の第３Ｃ実施形態に係るクランク軸の軸受部の断面図である。
【図９】本発明の第３Ｄ実施形態に係るクランク軸の軸受部の断面図である。
【図１０】本発明の第４Ａ実施形態に係るクランク軸の軸受部の断面図である。
【図１１】本発明の第４Ｂ実施形態に係るクランク軸の軸受部の断面図である。
【図１２】本発明の第４Ｃ実施形態に係るクランク軸の軸受部の断面図である。
【図１３】本発明の第５Ａ実施形態に係るクランク軸の軸受部の断面図である。
【図１４】本発明の第５Ｂ実施形態に係るクランク軸の軸受部の断面図である。
【図１５】本発明の第５Ｃ実施形態に係るクランク軸の軸受部の断面図である。
【発明を実施するための形態】
【００２８】
図１は本発明の実施形態に係るクランク軸の支持構造が適用されるクランクケース周囲部の断面図である。このクランクケース１は、自動二輪車に搭載される単気筒内燃機関のクランクケースであり、図１は、シリンダ２の中心線、クランク軸３、変速機メイン軸４、及び変速機カウンタ軸５を含むクランクケース内部の断面図である。このクランクケースの左右は図に矢印Ｌ，Ｒで示してある。
【００２９】
クランクケース１は左右半割り形式であり、左クランクケース１Ｌと右クランクケース１Ｒとが両側から合体されている。クランクケースの左右は左クランクケースカバー６Ｌと右クランクケースカバー６Ｒによって覆われている。クランク軸３は左側クランク軸３Ｌと右側クランク軸３Ｒとクランクピン７が一体化されて構成されている。クランクケースの一部をなす軸受部10には、ベアリング９を介してクランク軸３が回転可能に支持されている。ベアリング９は鋼製の外輪９Ａ、内輪９Ｂ、及びボール９Ｃとから構成されている。なお、図１に示されている軸受部10は、後述の第１実施形態の軸受部であるが、それに続く実施形態の説明では、同じ位置の軸受部として、符号20、30Ａ〜30Ｄ、40Ａ〜40Ｃ、50Ａ〜50Ｃ、を付して異なる形態の軸受部を示している。
【００３０】
クランクピン７にコンロッド８が接続されている。クランク軸３の左端と左クランクケースカバー６Ｌの間に、交流発電機61が設けてある。クランク軸３の右端には、遠心オイルストレーナ62が設けてある。クランク軸３と平行に、変速機のメイン軸４とカウンタ軸５がクランクケース１に回転可能に支持されている。メイン軸の右端に多板クラッチ63が設けてある。クランク軸に固定されているプライマリ駆動歯車65と、多板クラッチ63のクラッチアウタ64に固定されているプライマリ従動歯車66が噛合し、クランク軸３によってメイン軸４が駆動される。メイン軸４とカウンタ軸５には常時噛合い式歯車群67が設けてあり、その中の一つの歯車が選択的に固定されて変速がなされる。
【００３１】
本発明の第１実施形態のクランクケースの軸受部10の断面図が図２に示されている。図１に示される左右の軸受部10は同じ構造であるので、以下の実施形態は左側の軸受部10の断面によって説明する。図２(ａ)はクランク軸３に直交する軸受部10の断面図、図２(ｂ)は図２(ａ)のＢ−Ｂ断面図である。図において、この軸受部10はクランクケース１の一部をなすものである。前記クランクケース１はアルミ材から成り、軸受部10の円孔11にベアリング９が支持されている。前記ベアリング９は鋼材からなる外輪９Ａ、内輪９Ｂ、およびボール９Ｃから構成されている。以下に述べるすべてのベアリングの構成は上記ベアリングと同じである。ベアリング９の内側にクランク軸３が支持されている。
【００３２】
前記クランクケース１と前記ベアリング外輪９Ａとの間に、アルミ材より線膨張係数が大きい亜鉛製の近似台形形状の複数の駒部材12が、前記ベアリング外輪に対する同心円上に設けられている。各駒部材の外周面12ａ、端面12ｂ、及び側面12ｃはクランクケース１のポケット14に埋設され、駒部材12の内周面12ｄは前記ベアリング外輪９Ａの外周面に対向している。前記駒部材12の端面12ｂ同士の間隔、及び側面12ｃ同士の間隔は、この軸受部の中心方向、即ち前記ベアリング外輪９Ａの外周面に向かって開いている。
【００３３】
上記内燃機関が運転され、クランクケースの温度が上昇すると、前記亜鉛製駒部材12が設けられていない場合は、ベアリングの鋼材に比して膨張係数が大きいアルミ製クランクケースは大きく膨張し、その結果、クランクケースの円孔11とベアリング９との間に隙間が生じ、騒音が発生する。
【００３４】
図２のように、亜鉛製駒部材12が設けられている場合は、クランクケースの温度上昇と共に、駒部材12は、全方向に膨張する。半径方向の膨張は上記隙間を塞ぐ方向の伸びである。円周方向及び軸方向の膨張は、駒部材自体の円周方向の端面12ｂ、及び側面12ｃを、同端面及び側面が対向しているポケット14の端部壁面14ｘ及び側部壁面14ｙに沿って押す。駒部材の円周方向の端面12ｂ、及び側面12ｃの一部はポケット14の壁面14ｘ,14ｙから剥離し、駒部材はクランクケース１の側からベアリング９の方へ迫り出し、上記隙間を塞ぐよう作用する。これらの作用によって、クランクケースの軸受部10とベアリング外輪９Ａとの間のガタの発生が抑えられ、騒音防止を図ることが出来る。なお、以下のすべての実施形態において、クランクケースはアルミ材、駒部材は亜鉛、ベアリングは鋼材からなっている。
【００３５】
第１実施形態の軸受部10の第１の形成法：前記駒部材12は、アルミより線膨張係数が大きい亜鉛材で作られる。アルミ材でクランクケース１が鋳造されるとき、同時に駒部材12を鋳込むためのポケット14が形成される。クランクケースが製作された後、適当な鋳型が製作され、これがクランクケース１の円孔11の中に装着され、前記ポケット14に融点の低い亜鉛が鋳込まれ、駒部材12が形成される。固化した後に、上記円孔11は機械加工によって仕上げられ、軸受部10が構成される。
【００３６】
第１実施形態の軸受部10の第２の形成法：クランクケースの鋳造形成前に、予め製作された駒部材を金型の中に設置して、これにクランクケースとなるアルミ材が鋳込まれる。クランクケース１の鋳造形成後に、ベアリングを支持する円孔11の機械加工が行われる。
【００３７】
上記第２の形成法において、図３に示されるように、複数の駒部材12を予め連結用リブ15を介して連結し、これを鋳型の中に設置して、クランクケースとなるアルミ材を鋳込む方法もある。クランクケース１の鋳造形成後に、ベアリングを支持する円孔11の機械加工が行われ、連結用リブ15はその際に除去され、軸受部10が構成される。連結用リブを介して駒部材を連結する軸受部の製作法は、後述の他の実施形態にも適用可能である。
【００３８】
図４は他の形状の駒部材12の外観図である。これは、駒部材12の外周面12ａに脱落防止用リブ16を設けたものである。上記第１の形成法によって、駒部材を鋳込み形成する場合は、クランクケースの亜鉛鋳込み用ポケット14の一部に、脱落防止用リブ16を形成するための幅の狭い凹部を追加して設けておき、駒部材の鋳込み形成を行うことによって、脱落防止用リブ16付きの駒部材が形成される。
【００３９】
上記第２の形成法によって、予め形成した駒部材12に沿ってアルミを鋳込む場合は、駒部材に脱落防止用リブ16を予め形成しておく。図３に示した連結用リブ15付き駒部材を用いる場合は、駒部材形成時に、連結用リブ15と脱落防止用リブ16を共に備えた駒部材を形成して用いる。
【００４０】
本発明の第２実施形態のクランクケースの軸受部20の断面図が図５に示されている。図５(ａ)はクランク軸３に直交する軸受部20の断面図、図５(ｂ)は図５(ａ)のＢ−Ｂ断面図である。図において、クランクケース１はアルミ材から成り、クランクケースの円孔21に鋳鉄製のブッシュ23が嵌め込まれ、その内側に第１実施形態と同様な鋼材からなるベアリング９が装着されている。ベアリング９の内側にクランク軸３が支持されている。
【００４１】
前記クランクケース１と前記ブッシュ23との間に、クランクケースより線膨張係数が大きい亜鉛製の近似台形形状の複数の駒部材22が、クランクケース１のアルミ部の内周側に設けられている。各駒部材22の外周面22ａ、端面22ｂ、及び側面22ｃはクランクケース１のポケット24に埋設され、駒部材22の内周面22ｄは前記ブッシュ23の外周面23ａに隣接している。前記駒部材22の円周方向の端面22ｂ同士の間隔、及び側面22ｃ同士の間隔は、この軸受部の中心方向、即ち前記ブッシュ23の外周面23ａに向かって開いている。なお、以下のすべての実施形態において、ブッシュは鋳鉄からなっている。
【００４２】
内燃機関が運転され、クランクケースの温度が上昇すると、ブッシュを備えたクランクケースの軸受部に、もし亜鉛製駒部材が設けられていない場合は、鋳鉄製ブッシュに比して膨張係数が大きいアルミ製クランクケースは大きく膨張し、その結果、鋳鉄製ブッシュとアルミ製クランクケースとの間に隙間が生じ、騒音が発生する。
【００４３】
図５のように、亜鉛製駒部材が設けられている場合は、クランクケースの温度上昇と共に、駒部材22は、全方向に膨張する。第１実施形態の場合と同様に、駒部材は、ポケット24の端部壁面24ｘ、側部壁面24ｙに沿って、鋳鉄部材の方へ迫り出し、上記隙間を塞ぐよう作用する。これらの作用によって、アルミ製クランクケースと鋳鉄製ブッシュとの間のガタの発生が抑えられ、騒音防止を図ることが出来る。
【００４４】
第２実施形態の軸受部20の第１の形成法：アルミ材でクランクケース１が鋳造されるとき、同時に駒部材22が収容されるポケット24が形成される。製作されたクランクケース１に、予め鋳鉄で製作されたブッシュ23が嵌装され、クランクケース１とブッシュ23との間のポケット24に亜鉛が鋳込まれ、駒部材22が形成される。これによって、クランクケース１と駒部材22とブッシュ23とが一体化した軸受部20が構成される。
【００４５】
第２実施形態の軸受部20の第２の形成法：第１実施形態の説明で述べた製作方法のうちの第２の形成法によって作られた駒部材付きのクランクケース１に、予め鋳鉄で製作されたブッシュ23が圧入され軸受部20が構成される。
【００４６】
以下に本発明の第３実施形態が示される。この実施形態には、４種類のバリエーションがあり、実施形態名及び軸受部30の符号には、Ａ〜Ｄを付して、第３Ａ実施形態〜第３Ｄ実施形態、軸受部30Ａ〜30Ｄとしてある。以下に述べる第３Ａ実施形態〜第３Ｄ実施形態の４種類の実施形態は、ほぼ同一の構成のものであり、それぞれ若干の変形がなされている。ほぼ同一形状・同一機能の部材についてはこれらの４種類の実施形態を通じて同一符合を付してある。
【００４７】
本発明の第３Ａ実施形態のクランクケースの軸受部30Ａの断面図が図６に示されている。図６(ａ)はクランク軸３に直交する軸受部30Ａの断面図、図６(ｂ)は図６(ａ)のＢ−Ｂ断面図である。図において、クランクケース１はアルミ材から成り、クランクケース１の円孔31に鋳鉄製のブッシュ33が設けられ、ブッシュ33の内側にベアリング９が装着され、ベアリング９の内側にクランク軸３が支持されている。
【００４８】
前記クランクケース１と前記ブッシュ33との間に、ブッシュ33より線膨張係数が大きい亜鉛製の近似台形形状の駒部材32が、前記ブッシュ33の外周ポケット34に設けられている。各駒部材32の端面32ｂ、側面32ｃ、及び内周面32ｄは前記ブッシュ33の外周ポケット34に埋設され、駒部材32の外周面32ａは前記クランクケース１の円孔31の内面に接している。前記駒部材32の端面32ｂ同士の間隔、及び側面32ｃ同士の間隔は、この軸受部の半径方向外方、即ち前記円孔31の内周面に向かって開いている。
【００４９】
内燃機関が運転され、クランクケースの温度が上昇すると、亜鉛製駒部材が設けられていない鋳鉄製ブッシュの場合は、鋳鉄製ブッシュに比して膨張係数が大きいアルミ製クランクケースは大きく膨張し、その結果、クランクケースとブッシュとの間に隙間が生じ、騒音が発生する。
【００５０】
図６のように、ブッシュに亜鉛製駒部材が設けられている場合は、クランクケースの温度上昇と共に、駒部材は、全方向に膨張する。半径方向の膨張は上記隙間を塞ぐよう作用する。円周方向及び軸方向の膨張は、駒部材自体の円周方向の端面32ｂ、及び側面32ｃを、同端面及び側面が対向しているブッシュの外周ポケット34の傾斜している端部壁面34ｘ及び側部壁面34ｙに沿って押す。駒部材の円周方向の端面32ｂ、及び側面32ｃの一部はブッシュの外周ポケット34の壁面34ｘ,34ｙから剥離し、駒部材は鋳鉄製ブッシュの側からアルミ製クランクケースの方へ迫り出し、上記隙間を塞ぐよう作用する。これらの作用によって、アルミ製クランクケースと鋳鉄製ブッシュとの間におけるガタの発生が抑えられ、騒音防止を図ることが出来る。
【００５１】
第３Ａ実施形態の軸受部30Ａの形成法：先ず、アルミ材でクランクケース１が鋳造される。これとは別に、外周ポケット34を外周部に備えたブッシュ33が鋳鉄で作られる。クランクケースの円孔31に前記ブッシュ33が嵌装される。クランクケース１とブッシュ33との間にあるブッシュ33の外周ポケット34に亜鉛が鋳込まれ、駒部材32が形成される。このようにしてクランクケース１と駒部材32とブッシュ33とが一体化した軸受部30Ａが構成される。
【００５２】
本発明の第３Ｂ実施形態のクランクケースの軸受部30Ｂの断面図が図７に示されている。図７(ａ)はクランク軸３に直交する軸受部30Ｂの断面図、図７(ｂ)は図７(ａ)のＢ−Ｂ断面図である。図において、アルミ製クランクケース１の円孔31に鋳鉄製ブッシュ33が嵌め込まれている。ベアリング及びクランク軸は図示省略されている。この実施形態の軸受部30Ｂは前記第３Ａ実施形態（図６）の軸受部と同様の構成であるが、相違点は、第３Ａ実施形態では駒部材が６個であったが、第３Ｂ実施形態では駒部材が８個とされていることである。
【００５３】
前記クランクケース１と前記ブッシュ33との間に、ブッシュ33より線膨張係数が大きい亜鉛製の駒部材32が、前記ブッシュ33の外周ポケット34に設けられている。各駒部材32の端面32ｂ、側面32ｃ、及び内周面32ｄは前記ブッシュ33の外周ポケット34に埋設され、駒部材32の外周面32ａは前記クランクケース１の円孔31の内面に接している。前記駒部材32の円周方向の端面32ｂ同士の間隔、及び側面32ｃ同士の間隔は、この軸受部の半径方向外方、即ち前記円孔31の内周面に向かって開いている。
【００５４】
クランクケース１の温度上昇と共に、鋳鉄製ブッシュ33より熱膨張係数の大きい亜鉛製駒部材32は、全方向に膨張し、第３Ａ実施形態と同様に、駒部材32は、ポケット34の端部壁面34ｘ、側部壁面34ｙに沿って、鋳鉄部材33の側からアルミ部材１の方へ迫り出し、クランクケース１とブッシュ33の間に生じた隙間を塞ぐよう作用する。これらの作用によって、アルミ製クランクケース１と鋳鉄製ブッシュ33との間におけるガタの発生が抑えられ、騒音防止を図ることが出来る。
【００５５】
第３Ｂ実施形態の軸受部30Ｂの形成法：先ず、アルミ材でクランクケース１が鋳造される。クランクケースの円孔31は機械加工によって仕上げられる。これとは別に、外周ポケット34を備えたブッシュ33が鋳鉄で作られる。円筒形内周孔を備えた適当な鋳型に、前記ブッシュ33を装着し、鋳型とブッシュ33の間の前記外周ポケット34に亜鉛を鋳込んで、駒部材32付きブッシュ33が形成される。固化後、ブッシュ33と駒部材32の外周は機械加工によって仕上げられる。このようにして出来た駒部材32付きブッシュ33がクランクケース１の円孔31に圧入され、軸受部30Ｂが構成される。
【００５６】
本発明の第３Ｃ実施形態のクランクケースの軸受部30Ｃの断面図が図８に示されている。図８(ａ)はクランク軸３に直交する軸受部30Ｃの断面図、図８(ｂ)は図８(ａ)のＢ−Ｂ断面図である。この実施形態の軸受部30Ｃは前記第３Ｂ実施形態（図７）の軸受部と同様の形状・構成であるが、相違点は、駒部材32の外周面32ａの中央に、回り止め兼抜け止め突起35が形成されている点である。これによって駒部材32付きブッシュ33のクランク軸周りの回転と、駒部材32の抜け落ちが防がれる。
【００５７】
前記クランクケース１と前記ブッシュ33との間に、ブッシュ33より線膨張係数が大きい亜鉛製駒部材32が、前記ブッシュ33の外周ポケット34に設けられている。各駒部材32の端面32ｂ、側面32ｃ、及び内周面32ｄは前記ブッシュ33の外周ポケット34に埋設され、駒部材32の外周面32ａは前記クランクケース１の円孔31の内面に接している。前記駒部材32の円周方向の端面32ｂ同士の間隔、及び側面32ｃ同士の間隔は、この軸受部の半径方向外方、即ち前記円孔31の内周面に向かって開いている。
【００５８】
クランクケースの温度上昇と共に、駒部材は全方向に膨張し、第３Ａ実施形態の場合と同様に、駒部材は鋳鉄部材の側からアルミ部材の方へ迫り出し、クランクケース１とブッシュ33の間に生じる隙間を塞ぐよう作用する。これらの作用によって、アルミ製クランクケース１と鋳鉄製ブッシュ33との間におけるガタの発生が抑えられ、騒音防止を図ることが出来る。また、回り止め兼抜け止め突起35によって、ブッシュ33のクランク軸周りの回転と、駒部材32の抜け落ちが防がれる。
【００５９】
第３Ｃ実施形態の軸受部30Ｃの形成法：先ず、外周ポケット34を備えた鋳鉄ブッシュ33が作られる。回り止め兼抜け止め突起35が形成される凹部を備えた鋳型の中で、その鋳型とブッシュとの間に亜鉛を鋳込み、回り止め兼抜け止め突起35を備えた駒部材32付きブッシュ33が作られる。これを金型内に設置し、アルミを鋳込んで回り止め兼抜け止め突起35を備えた駒部材32付きブッシュ33を一体化したクランクケース１が作られる。融点はアルミの方が亜鉛より高いが、アルミの鋳込みは瞬間的であるから、アルミの鋳込み時に、亜鉛の形状は維持される。
【００６０】
本発明の第３Ｄ実施形態のクランクケースの軸受部30Ｄの断面図が図９に示されている。図９(ａ)はクランク軸３に直交する軸受部30Ｄの断面図、図９(ｂ)は図９(ａ)のＢ−Ｂ断面図である。この実施形態の軸受部30Ｄは前記第３Ａ〜第３Ｃ実施形態（図６〜８）の軸受部と同様の形状・構成であるが、相違点は、駒部材32の外周面32ａの中央部にクランク軸方向の回り止めリブ36が設けられ、駒部材32の内周面32ｄに接するブッシュ33の外周ポケット34の底面には駒部材32の抜けを防ぐための周方向の抜け止めリブ37が設けられている点である。これによって駒部材32付きブッシュ33のクランク軸周りの回転と、駒部材32の抜け落ちが防がれる。なお、駒部材32は一側面以外は鋳鉄ブッシュ33に埋設されているが、上記一側面はクランクケースの側面側に露出している。駒部材32の端面32ｂ同士の間隔、及び埋設されている側の側面32ｃは、この軸受部の半径方向外方、即ち前記円孔31の内周面に向かって開いている。
【００６１】
クランクケース１の温度上昇と共に、駒部材32は全方向に膨張し、第３Ａ実施形態の場合と同様に、駒部材は鋳鉄部材の側からアルミ部材の方へ迫り出し、クランクケースとブッシュ間の隙間を塞ぐよう作用する。これらの作用によって、アルミ製クランクケース１と鋳鉄製ブッシュ33との間におけるガタの発生が抑えられ、騒音防止を図ることが出来る。また、回り止めリブ36と抜け止めリブ37とによって、ブッシュ33のクランク軸周りの回転と、駒部材32の抜け落ちが防がれる。
【００６２】
第３Ｄ実施形態の軸受部30Ｄの形成法：先ず、外周ポケット34の底部に抜け止めリブ37を備えた外周ポケット34付き鋳鉄ブッシュ33が作られる。この鋳鉄ブッシュ33をアルミで鋳込んでクランクケース１を作る。その際、亜鉛が入る時に回り止めリブ36が形成されるよう凸条付き金型でブッシュ33の外周ポケット34を保全する。この外周ポケット34に亜鉛を鋳込み駒部材32を形成する。亜鉛はブッシュ33の側面の開放部から鋳込まれる。
【００６３】
以下に本発明の第４実施形態が示される。この実施形態には、３種類のバリエーションがあり、実施形態名及び軸受部40の符号には、Ａ〜Ｃを付して、第４Ａ実施形態〜第４Ｃ実施形態、軸受部40Ａ〜40Ｃとしてある。以下に述べる第４Ａ実施形態〜第４Ｃ実施形態の３種類の実施形態は、ほぼ同一の構成のものであり、それぞれ若干の変形がなされている。ほぼ同一形状・同一機能の部材についてはこれらの３種類の実施形態を通じて同一符合を付してある。
【００６４】
本発明の第４Ａ実施形態のクランクケースの軸受部40Ａの断面図が図１０に示されている。図１０(ａ)はクランク軸３に直交する軸受部40Ａの断面図、図１０(ｂ)は図１０(ａ)のＢ−Ｂ断面図である。図において、アルミ製クランクケース１の円孔41の内側に鋳鉄製ブッシュ43と近似台形形状の亜鉛製駒部材42が設けてある。図には、ベアリング及びクランク軸は図示省略されている。
【００６５】
この実施形態の軸受部40Ａは、これまでに述べた実施形態と大きく異なっている。ブッシュ43の外周ポケット44に埋設されている駒部材42は４個あり、駒部材42の両端の底角は鋭角であり、両端の底角部42ｅは前記ブッシュ43の外周ポケット44の鋭角凹部44ｚによって保持されている。前記第３実施形態（図６〜図９）などの例では、駒部材の両端の中心側の底角は鈍角であったが、本実施形態では逆となっている。駒部材42の端面42ｂ同士は、ほぼ平行であり、一方に開いていない。また、駒部材42の側面42ｃ同士の間隔は、軸受部の半径方向の外方、即ち前記円孔41の内周面に向かって開いている。
【００６６】
クランクケース１の温度上昇と共に、ブッシュ43とクランクケース１との間に設けられている亜鉛製駒部材42は全方向に膨張する。駒部材の端面の底角部42ｅは、外周ポケット44の鋭角凹部44ｚに保持されているので、駒部材の長手方向の両端は動かない。外周ポケット44の側部壁面44ｙ同士の間隔は半径方向外方へ向かって開いているので、駒部材42の中央部は湾曲して外方のアルミ部材の方へ迫り出し、クランクケースとブッシュの間に生じる隙間を塞ぐよう作用する。これらの作用によって、アルミ製クランクケース１と鋳鉄製ブッシュ43との間のガタの発生が抑えられ、騒音防止を図ることが出来る。
【００６７】
第４Ａ実施形態の軸受部40Ａの形成法：先ず、アルミ材でクランクケース１が鋳造される。クランクケースの円孔41は機械加工によって仕上げられる。これとは別に、外周ポケット44を備えたブッシュ43が鋳鉄で作られる。円筒形内周孔を備えた適当な鋳型に、前記ブッシュ43を装着し、鋳型とブッシュ43の間の前記外周ポケット44に亜鉛を鋳込んで、駒部材42付きブッシュ43が形成される。駒部材42付きブッシュ43の外周は機械加工によって仕上げられる。このようにして出来た駒部材42付きブッシュ43がクランクケース１の円孔41に圧入され、軸受部40Ａが形成される。
【００６８】
本発明の第４Ｂ実施形態のクランクケースの軸受部40Ｂの断面図が図１１に示されている。図１１(ａ)はクランク軸３に直交する軸受部40Ｂの断面図、図１１(ｂ)は図１１(ａ)のＢ−Ｂ断面図である。図において、アルミ製クランクケース１の円孔41の内側に鋳鉄製ブッシュ43と亜鉛製駒部材42が設けてある。ベアリング及びクランク軸は図示省略されている。
【００６９】
この実施形態の軸受部は、前記第４Ａ実施形態（図１０）とほぼ同じ構成であるが、相違点は、駒部材42の外周面42ａの中央部に回り止め兼抜け止め突起45が設けてあることである。駒部材42の側面42ｃ同士の間隔は、軸受部の半径方向の外方、即ち前記円孔41の内周面に向かって開いている。
【００７０】
クランクケースの温度上昇と共に、亜鉛製駒部材42は全方向に膨張する。第４Ａ実施形態と同様に、駒部材42は湾曲し、駒部材42の長手方向中央部は、鋳鉄部材の側からアルミ部材の方へ迫り出し、クランクケース１とブッシュ43の間に生じる隙間を塞ぐよう作用する。これらの作用によって、アルミ製クランクケース１と鋳鉄製ブッシュ43との間のガタの発生が抑えられ、騒音防止を図ることが出来る。駒部材42は外周面42ａの中央部に回り止め兼抜け止め突起45を備えているので、ブッシュ43の回転が防止され、駒部材42の抜け落ちが防止される。
【００７１】
第４Ｂ実施形態の軸受部の形成法：本実施形態では、回り止め兼抜け止めの突起45が設けられているので、クランクケースへの駒部材の圧入は出来ない。先ず、外周ポケット44を備えた鋳鉄ブッシュが作られる。回り止め兼抜け止め突起を形成するための凹部を備えた鋳型の中で、鋳型とブッシュの間に亜鉛を鋳込み、突起45を備えた駒部材42付きブッシュ43が作られる。これをダイキャスト金型内に設置し、アルミを鋳込んで突起45を備えた駒部材42付きブッシュ43を一体化したクランクケース１が作られる。融点はアルミの方が亜鉛より高いが、アルミの鋳込みは瞬間的であるから、亜鉛の形状は維持される。
【００７２】
本発明の第４Ｃ実施形態のクランクケースの軸受部40Ｃの断面図が図１２に示されている。図１２(ａ)はクランク軸３に直交する軸受部40Ｃの断面図、図１２(ｂ)は図１２(ａ)のＢ−Ｂ断面図である。図において、アルミ製クランクケース１の円孔41の内側に鋳鉄製ブッシュ43と亜鉛製駒部材42が設けてある。ベアリング及びクランク軸は図示省略されている。
【００７３】
この実施形態の軸受部は、前記第４Ａ〜第４Ｂ実施形態（図１０〜図１１）とほぼ同じ構成であるが、相違点は、駒部材42の外周面42ａの中央部にクランク軸方向の回り止めリブ46が設けられ、駒部材42の内周面42ｄに接するブッシュ43の外周ポケット44の底面に、駒部材42の抜けを防ぐための周方向の抜け止めリブ47が設けられている点である。これによって駒部材42付きブッシュ43のクランク軸周りの回転と、駒部材42の抜け落ちが防がれる。また、駒部材42は一側面42ｃ以外は鋳鉄ブッシュ43に埋設されているが、上記一側面はクランクケース１の側面側に露出している。駒部材42の埋設されている側の側面42ｃは、軸受部の半径方向の外方、即ち前記円孔41の内周面に向かって開いている。
【００７４】
クランクケースの温度上昇と共に、駒部材は全方向に膨張し、第４Ａ実施形態と同様に、駒部材42は湾曲し、駒部材42の長手方向中央部は、鋳鉄部材の側からアルミ部材の方へ迫り出し、クランクケース１とブッシュ43の間に生じる隙間を塞ぐよう作用する。この作用によって、アルミ製クランクケース１と鋳鉄製ブッシュ43との間のガタの発生が抑えられ、騒音防止を図ることが出来る。駒部材の外周面の中央部にクランク軸方向の回り止めリブ46が設けられ、外周ポケット44の底面に周方向の抜け止めリブ47が設けられているので、駒部材42付きブッシュ43のクランク軸周りの回転と、駒部材42の抜け落ちが防がれる。
【００７５】
第４Ｃ実施形態の軸受部の形成法：先ず、外周ポケット44の底部に抜け止めリブ47を備えた外周ポケット44付き鋳鉄ブッシュ43が作られる。この鋳鉄ブッシュ43をアルミで鋳込んでクランクケース１を作る。その際、亜鉛が入る時に回り止めリブ46が形成されるよう凸条付き金型で外周ポケット44を保全する。この外周ポケット44に亜鉛を鋳込み、駒部材42を形成する。亜鉛はブッシュ43の側面の開放部から鋳込まれる。
【００７６】
以下に本発明の第５実施形態が示される。この実施形態には、３種類のバリエーションがあり、実施形態名及び軸受部50の符号には、Ａ〜Ｃを付して、第５Ａ実施形態〜第５Ｃ実施形態、軸受部50Ａ〜50Ｃとしてある。以下に述べる第５Ａ実施形態〜第５Ｃ実施形態の３種類の実施形態は、ほぼ同一の構成のものであり、それぞれ若干の変形がなされている。ほぼ同一形状・同一機能の部材についてはこれらの３種類の実施形態を通じて同一符合を付してある。
【００７７】
本発明の第５Ａ実施形態のクランクケースの軸受部50Ａの断面図が図１３に示されている。この実施形態は、回転軸の軸心位置調整用に用いられる軸受部である。図１３(ａ)はクランク軸３に直交する軸受部50Ａの断面図、図１３(ｂ)は図１３(ａ)のＢ−Ｂ断面図である。以下の３例の実施形態では、ブッシュは設けられていない。アルミ製クランクケース１の円孔51に、鋼製ベアリング９が直接嵌装され、その中心にクランク軸３が支持されている。
【００７８】
クランクケース１と前記ベアリング外輪９Ａとの間に、アルミ材より線膨張係数が大きい亜鉛製の近似台形形状の駒部材52Ｈ、52Ｌが、前記ベアリング外輪９Ａに対する同心円上に設けられている。図には、４個の駒部材が示されているが、そのうちの、１個の駒部材52Ｈは軸受部の半径方向の高さｈが、他の３個の駒部材52Ｌより高く形成されている。各駒部材の外周面52ａ、端面52ｂ、及び側面52ｃはクランクケース１のポケット54に埋設され、駒部材の内周面52ｄは前記ベアリング外輪９Ａの外周面に対向している。前記駒部材の円周方向の端面52ｂ同士の間隔、及び側面52ｃ同士の間隔は、この軸受部の中心方向、即ち前記ベアリング外輪９Ａの外周面に向かって開いている。
【００７９】
内燃機関が運転されると、クランクケースの温度上昇と共に、駒部材は、全方向に膨張する。第１実施形態の場合と同様に、駒部材は、ポケット54の端部壁面54ｘ、側部壁面54ｙに沿って、クランクケース１の側からベアリング９の方へ迫り出し、上記隙間を塞ぐよう作用すると共に、大小の駒部材52Ｈ、52Ｌの迫り出し量の差によって、回転軸の軸心位置が調整される。前記駒部材のうち、高さｈが高い駒部材42Ｈの迫り出し寸法は、高さの低い駒部材42Ｌの迫り出し寸法より大きい。従って、軸受の中心は駒部材の迫り出し寸法の小さい側へ変位する。即ち、回転軸の中心は高さの高い駒部材52Ｈの反対側へ変位する。
【００８０】
内燃機関の運転中の温度上昇によって、クランクケース１は膨張する。クランクケース１の中に、互いに噛合う歯車を備えた一対の回転軸がある場合、クランクケース１の膨張によって、前記一対の軸の軸間距離は増加する。その結果、噛合っている歯車のバックラッシュも増加して噛合い騒音が大きくなる。この噛合い騒音の増加を防ぐには、軸間距離の増加を抑えればよい。このために、高さが高い駒部材52Ｈを、相手側回転軸の反対側へ配置することによって、軸間距離の拡大を抑え、噛合い騒音を低減することが出来る。
【００８１】
図１に示されるクランクケースの場合は、クランク軸３とメイン軸４の軸間距離の拡大を抑え、プライマリ駆動歯車65とプライマリ従動歯車66の噛合い騒音を低減するためには、クランク軸軸受部50Ａのメイン軸４の反対側に、高さｈが高い駒部材52Ｈを配置すれば、噛合い騒音を低減することが出来る。
【００８２】
第５Ａ実施形態の軸受部50Ａの形成法：ポケットの深さに差を設けること、或いは駒部材の高さに差を設けること以外は、第１実施形態（図２）の場合と同じである。
【００８３】
本発明の第５Ｂ実施形態のクランクケースの軸受部50Ｂの断面図が図１４に示されている。この実施形態も、回転軸の軸心位置調整用に用いられる軸受部である。図１４(ａ)はクランク軸３に直交する軸受部50Ｂの断面図、図１４(ｂ)は図１４(ａ)のＢ−Ｂ断面図、図１４(ｃ)は図１４(ａ)のＢ−Ｂ断面の他の例である。図において、アルミ製クランクケース１に亜鉛製駒部材52が１個設けてある。図には、ベアリング９及びクランク軸３は図示省略されている。
【００８４】
前記クランクケース１と前記ベアリング外輪９Ａとの間に、アルミ材より線膨張係数が大きい亜鉛製の駒部材52が１個設けられている。駒部材の外周面52ａ、端面52ｂ、及び側面52ｃはクランクケース１のポケット54に埋設され、駒部材の内周面52ｄは前記ベアリング外輪９Ａの外周面に対向している。前記駒部材の円周方向の端面52ｂ同士の間隔、及び埋設されている側の側面52ｃは、この軸受部の中心方向、即ち前記ベアリング外輪９Ａの外周面に向かって開いている。
【００８５】
内燃機関が運転されると、クランクケースの温度上昇と共に、駒部材52は、全方向に膨張する。第５Ａ実施形態の場合と同様に、駒部材52はクランクケース１の側からベアリング９の方へ迫り出し、ベアリング９を押すよう作用する。この作用によって、回転軸の軸受の中心は駒部材の反対側へ変位する。
【００８６】
内燃機関の運転中の温度上昇によって、クランクケース１が膨張し、クランク軸３とメイン軸４の軸間距離が拡大して生じるプライマリ駆動歯車65とプライマリ従動歯車66の噛合い騒音を低減するためには、クランク軸軸受部50Ｂの、メイン軸４の反対側に駒部材52を配置すれば、噛合い騒音を低減することが出来る。
【００８７】
この実施形態では、図１４(ｂ)のように、駒部材の外周面、両端面、及び両側面がアルミに埋設されている形態と、図１４(ｃ)のように、駒部材の外周面、両端面、及び一側面のみがアルミに埋設されている形態とがある。
【００８８】
第５Ｂ実施形態の軸受部50Ｂの形成法：アルミダイキャストでクランクケース１を製作する際に、図１４(ｂ)の場合は、クランクケース円孔51の内周側が開放されているポケット54を金型で形成し、アルミ固化後に、上記ポケット54の内周側に湯口を設けて亜鉛を鋳込む。図１４(ｃ)の場合は、クランクケース円孔51の内周側と一方の側面が開放されているポケットを金型で形成し、アルミ固化後に、上記ポケット54の側面側に湯口を設けて亜鉛を鋳込む。
【００８９】
本発明の第５Ｃ実施形態のクランクケースの軸受部50Ｃの断面図が図１５に示されている。この実施形態も、回転軸の軸心位置調整用に用いられる軸受部である。図１５(ａ)はクランク軸３に直交する軸受部50Ｃの断面図、図１５(ｂ)は図１５(ａ)のＢ−Ｂ断面図である。図において、アルミ製クランクケース１の円孔51の内側に亜鉛製駒部材１個と鋳鉄製ブッシュ53が設けてある。鋳鉄製ブッシュ53の内側に、ベアリング９とクランク軸３が支持されるが、ベアリング及びクランク軸は図示省略されている。
【００９０】
前記クランクケース１と前記鋳鉄製ブッシュ53との間に、アルミ材より線膨張係数が大きい亜鉛製の駒部材52が１個設けられている。駒部材の外周面52ａ、端面52ｂ、及び一方の側面52ｃはクランクケース１のポケット54に埋設され、駒部材の内周面52ｄは前記ブッシュの外周面に対向している。前記駒部材の円周方向の端面52ｂ同士の間隔、及び埋設されている側の側面52ｃは、この軸受け部の中心方向、即ち前記ベアリング外輪９Ａの外周面に向かって開いている。
【００９１】
クランクケースの温度上昇と共に、駒部材は、全方向に膨張する。第５Ａ実施形態の場合と同様に、駒部材52はクランクケースの側から鋳鉄製ブッシュ53の方へ迫り出し、鋳鉄製ブッシュ53を押すよう作用する。この作用によって、鋳鉄製ブッシュ53を介して回転軸の軸受の中心は駒部材52の反対側へ変位する。クランク軸軸受部において、メイン軸４の反対側に駒部材を配置すれば、ブッシュを介してクランク軸が押され、クランク軸中心位置が調整される。図１のクランクケースにおいては、クランク軸３とメイン軸４の軸間距離の拡大を抑え、プライマリ駆動歯車65とプライマリ従動歯車66の噛合い騒音を低減することが出来る。
【００９２】
第５Ｃ実施形態の軸受部50Ｃの形成法：鋳鉄ブッシュ53をアルミで鋳込む。その際、金型で一方の側面が開放されているポケット54を設けておく。アルミ固化後に、上記ポケット54の側面側に湯口を設けて亜鉛を鋳込む。鋳鉄ブッシュ53の外周面に凹凸を設けておくことによって、鋳鉄ブッシュ53の回り止めとすることが出来る。
【００９３】
以上詳述したように、本発明は、熱膨張力による駒部材の寸法増加と、ポケット部の傾斜壁面に向かう寸法の増加による駒部材剤の剥離・迫り出しを利用して、クランクケースとベアリング外周部の間の隙間の拡大防止、クランクケースとブッシュ外周部の隙間の拡大防止、及びクランクケース内の軸間距離拡大防止を図り、騒音防止を図る効果的な方法を提供したものである。
【符号の説明】
【００９４】
１…クランクケース、９…ベアリング、９Ａ…ベアリング外輪、10…軸受部、11…円孔、12…駒部材、12ａ…駒部材の外周面、12ｂ…駒部材の端面、12ｃ…駒部材の側面、12ｄ…駒部材の内周面、14…ポケット、20…軸受部、21…円孔、22…駒部材、22ａ…駒部材の外周面、22ｂ…駒部材の端面、22ｃ…駒部材の側面、22ｄ…駒部材の内周面、23…ブッシュ、23ａ…ブッシュの外周面、24…ポケット、30…軸受部、31…円孔、32…駒部材、32ａ…駒部材の外周面、32ｂ…駒部材の端面、32ｃ…駒部材の側面、32ｄ…駒部材の内周面、33…ブッシュ、34…外周ポケット、35…回り止め兼抜け止め突起、36…回り止めリブ、37…抜け止めリブ、40…軸受部、41…円孔、42…駒部材、42ａ…駒部材の外周面、42ｂ…駒部材の端面、42ｃ…駒部材の側面、42ｄ…駒部材の内周面、42ｅ…駒部材の底角部、43…ブッシュ、44…外周ポケット、44ｚ…外周ポケットの鋭角凹部、45…回り止め兼抜け止め突起、46…回り止めリブ、47…抜け止めリブ、50…軸受部、51…円孔、52…駒部材、52Ｈ…背の高い駒部材、52Ｌ…背の低い駒部材、53…ブッシュ。
【図１】
2014025547.tif 000003
【図２】
2014025547.tif 000004
【図３】
2014025547.tif 000005
【図４】
2014025547.tif 000006
【図５】
2014025547.tif 000007
【図６】
2014025547.tif 000008
【図７】
2014025547.tif 000009
【図８】
2014025547.tif 000010
【図９】
2014025547.tif 000011
【図１０】
2014025547.tif 000012
【図１１】
2014025547.tif 000013
【図１２】
2014025547.tif 000014
【図１３】
2014025547.tif 000015
【図１４】
2014025547.tif 000016
【図１５】
2014025547.tif 000017